(57)【特許請求の範囲】
【請求項１】
山部(1a) が所定ピッチで繰り返すように該山部(1a) と谷部(1b) とが交互に連続し、且つ所定の勾配を有する折板屋根(1) の上に空調機の室外機(10) を固定する室外機の据付装置であって、
上記折板屋根(1) の山部(1a) を横断する方向に配置されると共に、少なくとも１つが折板屋根(1) の山部(1a) に固定される一対の据付台(60a,60b) と、
該各据付台(60a,60b) の両端部に取り付け固定されると共に、上記室外機(10)を設置固定するためのテーパ座金(50a,50b) とを備えて成り、
上記据付台(60a,60b) は、細長い板状の底部(61) と、該底部(61) の幅方向の両端より上方に向かって折り曲げ形成されたリブ(62) とにより構成され、上記底部(61) には、折板屋根(1) の山部(1a) に固定するための複数のボルト用長孔(63) が、折板屋根(1) の山部(1a) の各種のピッチに対応するように底部(61) の長手方向に所定ピッチで且つ所定長さで形成される一方、
上記テーパ座金(50a,50b) は、矩形平板の取付部(51) と、該取付部(51) の幅方向の両端より下方に折り曲げ形成された脚部(52) とにより構成され、上記取付部(51) は、据付台(60a,60b) に固定した状態で水平姿勢になるように上記各脚部(52) に対して所定角度に設定されている
ことを特徴とする室外機の据付装置。
【請求項２】
請求項１記載の室外機の据付装置において、
テーパ座金(50a,50b) は、両脚部(52) の下端より内側へ折り曲げられ、且つ下面が同一平面上の支持面(53a) を構成する支持部(53) と、取付部(51) に開口するボルト孔(54) と、上記取付部(51) 上面におけるボルト孔(54) の周囲に位置して支持面(53a) と平行な取付座(55) とが形成されると共に、
上記テーパ座金(50a,50b) は、据付台(60a,60b) のリブ(62) の間に挿入されて底部(61) に載置されるように形成され、該テーパ座金(50a,50b) のボルト孔(54) と据付台(60a,60b) のボルト用長孔(63) とを貫通して設けられる締結ボルト(58a) と、該締結ボルト(58a) に螺合される締結ナット(58b) とによって、テーパ座金(50a,50b) と据付台(60a,60b) とが締結される
ことを特徴とする室外機の据付装置。
【請求項３】
請求項１又は２記載の室外機の据付装置において、
テーパ座金(50a,50b) は、ゴム製の防振部材(40) を備える取付ボルト(30) によって室外機(10) が固定されるように構成され、
上記防振部材(40) は、所定厚さの盤状の上防振部(41) と、所定厚さの盤状の下防振部(42) とがテーパ座金(50a,50b) の取付部(51) の厚さに対応した間隔を存して平行に位置するように中央の軸部(43) によって一体に形成されて成り、該防振部材(40) には、上防振部(41) の上面から軸部(43) を経て下防振部(42) の下面に貫通する孔部(44) が形成される一方、
上記テーパ座金(50a,50b) の取付部(51) には、下防振部(42) が貫通する貫通孔(56) と、該貫通孔(56) に連続して軸部(43) が貫通する取付用長孔(57) とが形成され、
上記取付ボルト(30) は、ネジ部(32) が防振部材(40) の孔部(44) を貫通して頭部(31) が下防振部(42) に当接するように防振部材(40) が取り付けられると共に、上防振部(41) と下防振部(42) とがテーパ座金(50a,50b) の取付部(51) を挟むようにテーパ座金(50a,50b) に取り付けられる
ことを特徴とする室外機の据付装置。
【請求項４】
請求項３記載の室外機の据付装置において、
一対の据付台(60a,60b) のうち下側に位置する据付台(60b) のテーパ座金(50b) には、防振部材(40) の上防振部(41) の上面を覆う押え座金(35) を介して取付ボルト(30) に取付ナット(36) が螺合されて該取付ボルト(30) が固定され、
上記下側のテーパ座金(50b) の取付ボルト(30) には、室外機(10) が水平姿勢を維持するように該室外機(10) の据付脚(18) を挟み込む支持ナット(37) と押えナット(38) とが取り付けられる
ことを特徴とする室外機の据付装置。
【請求項５】
請求項４記載の室外機の据付装置において、
テーパ座金(50a,50b) のボルト孔(54) 及び取付座(55) は、取付部(51) の左右両端部に１つずつ設けられ、
テーパ座金(50a,50b) の貫通孔(56) は、取付用長孔(57) における長手方向の中心部に形成されている
ことを特徴とする室外機の据付装置。
【請求項６】
請求項４又は５記載の室外機の据付装置において、
据付台(60b) は、重ね型の折板(2) とタイトフレーム(3) とを固定する固定ボルト(5a) がボルト用長孔(63) を貫通し、該固定ボルト(5a) によって折板屋根(1) に締結される
ことを特徴とする室外機の据付装置。
【請求項７】
請求項４又は５記載の室外機の据付装置において、
固定部(71) と該固定部(71) の垂直上方に延びるボルト部(72) とを備えた複数のはぜ用取付部材(70) の固定部(71) がはぜ締め型の折板(2) の「はぜ(7)」に固定される一方、
据付台(60a,60b) は、上記各はぜ用取付部材(70) のボルト部(72) が据付台(60a,60b) のボルト用長孔(63) を貫通し、該ボルト部(72) によって折板屋根(1) に締結される
ことを特徴とする室外機の据付装置。
【請求項８】
請求項６又は７記載の室外機の据付装置において、
折板屋根(1) に設置された室外機(10) は、折板屋根(1) の一方から上記室外機(10) を越えて折板屋根(1) の他方に掛け渡されるワイヤー(90) によって固定支持され、
上記室外機(10) には、室外機(10) に対する取付片(81) と、該取付片(81) に連続して設けられてワイヤー(90) が係合するピン(83) とが形成された複数の固定金具(80a,80b) が、室外機(10) の上部周辺の相対向する部位に、室外機本体(12) に室外機(10) の天板(16) を固定するためのビス(17) によって該室外機本体(12) と天板(16) と固定金具(80a,80b) の取付片(81) とを共締めすることにより取り付けられ、
上記ワイヤー(90) は、両端が折板屋根(1) にそれぞれ連結固定されると共に、上記室外機(10) の上部における１つの固定金具(80a,80b) のピン(83) を１巻き以上巻回し、且つ該固定金具(80a,80b) と対向する他の固定金具(80a,80b) のピン(83) を１巻き以上巻回して設けられる一方、
上記ワイヤー(90) には、該ワイヤー(90) を緊張状態に保持する締付部材(95)が設けられる
ことを特徴とする室外機の据付装置。
【請求項９】
請求項８記載の室外機の据付装置において、
固定金具(80a,80b) の取付片(81) は、平坦な板状片に形成されると共に、締結孔(85,86) が形成され、
該取付片(81) の両側辺には、該両側辺より垂直に折り曲げられると共に、取付片(81) の上辺より上方に延びる一対のフランジ(82) が連続形成される一方、
固定金具(80a,80b) のピン(83) は、丸棒で形成されると共に、上記両フランジ(82) の先端部に亘って設けられている
ことを特徴とする室外機の据付装置。
【請求項１０】
請求項９記載の室外機の固定構造において、
固定金具(80a,80b) の取付片(81) の上端辺には、該上端辺より、フランジ(82) とは逆方向に垂直に折り曲げられる廻り止め片(87) が形成されている
ことを特徴とする室外機の固定構造。
【請求項１１】
請求項８乃至１０の何れか１記載の室外機の据付装置において、
ワイヤー(90) の少なくとも一端は、固定金具(80c) を介して折板屋根(1) に連結され、
該折板屋根(1) 側の固定金具(80c) と室外機(10) の固定金具(80a,80b) とは、両固定金具(80a〜80c) を兼用するように同一形状で形成されている
ことを特徴とする室外機の据付装置。
【請求項１２】
請求項１１記載の室外機の据付装置において、
固定金具(80a〜80c) の取付片(81) には、室外機(10) に締結するための小径締結孔(85) が上辺側に、折板屋根(1) に締結するための大径締結孔(86) が下辺側にそれぞれ位置して形成されている
ことを特徴とする室外機の据付装置。
【発明の詳細な説明】
【０００１】
【発明の属する技術分野】
本発明は、空調機の室外機を据え付けるための据付装置に関し、特に、折板屋根に据え付ける場合の屋根勾配への対応に係るものである。
【０００２】
【従来の技術】
近年、コンビニエンスストアやパチンコ店等の建物には、短期間に施工可能で建築費の安価な折板屋根が多く採用されている。この折板屋根は、「ＪＩＳ  Ａ６５１４(1985)」に開示されている鋼板をＶ字型に折り曲げて成る折板を、梁にタイトフレームを介して固定することにより形成されるものであり、山部が所定ピッチで繰り返すように山部と谷部とが連続して形成されている。そして、折板屋根の増加に伴って、この折板屋根の上に空調機の室外機を設置するケースが増加している。
【０００３】
一方、空調機の室外機には、実開平４−１３２３３７号公報に開示されているように、ファンや冷媒回路を構成する圧縮機や熱交換器等の構成機器がケーシング内に収納されて直方体形状に形成されている。そして、ファンによってケーシングの背面及び側面から空気を吸い込み、熱交換器で空気と冷媒回路の冷媒とを熱交換させた後に前面より吹き出すように構成されている。また、この種の室外機(10) には、図２に示すように、２つのファンを上下に並べ、より大きな熱交換器を搭載するようにしたものもある。
【０００４】
そして、上記折板屋根に室外機を設置するに際には、該折板屋根には雨水を排水するために所定の屋根勾配が設けられる一方、室外機は圧縮機等を備える重量物であるため、室外機の水平設置が必要となる。また、折板屋根上に設置した場合には風を遮る物がなく、強風による室外機の転倒の可能性が増大すると共に、転倒した場合には室外機が地上へ落下する可能性もあるため、室外機の転倒の防止も必要となる。これに対し、従来より、折板屋根の山部にボルト等を利用して据付用の部材を設け、この部材に室外機を設置することや、折板屋根と室外機との間にワイヤーを張り渡して室外機の転倒を防止することが行われている。
【０００５】
【発明が解決しようとする課題】
しかしながら、折板屋根の山ピッチには、例えば、300,333,450,500,550,650,700 (mm) というように数多くの種類があり、何れの山ピッチの折板屋根にも対応できる汎用性のある据付用の部材はなかった。このため、個々の折板屋根にあわせて現場合わせで据付用の部材を作製する必要があり、この結果、現場での作業量が増加して工事費用が上昇するという問題があった。また、現場合わせにより部材を作製した場合には、その設置工事の良否が設置業者の技術力に大きく左右されるため、設備工事の品質を一定に保つのが困難であり、完全な設置が必ずしも行われない可能性があるという問題があった。
【０００６】
また、ワイヤーにより室外機の転倒を防止する場合、通常、室外機(10) は固定用のワイヤーを掛けるための構造を有していないため、室外機(10) のケーシング(11) の側面に設けられた空気を吸い込む吸込口(13) の支柱部(15) にワイヤーを巻回して取り付け、このワイヤーの両端を折板屋根に固定するようにしていた。しかし、この場合、大きな力が作用することが想定されていない支柱部(15) にワイヤーによる力が作用するため、ワイヤーに充分な張力を与えようとするとケーシング(11) が変形してしまい、室外機(10) の転倒を確実に防止することができないという問題があった。
【０００７】
本発明は、かかる点に鑑みてなされたものであり、その目的とするところは、設置業者の技術力の如何に関わらず、空調機の室外機を折板屋根上に確実に据え付けることにある。
【０００８】
【課題を解決するための手段】
本発明は、何れの山ピッチを有する折板屋根にも適用可能な、汎用性のある室外機の据付装置を実現するようにしたものである。
【０００９】
具体的に、請求項１記載の発明が講じた手段は、山部(1a) が所定ピッチで繰り返すように該山部(1a) と谷部(1b) とが交互に連続し、且つ所定の勾配を有する折板屋根(1) の上に空調機の室外機(10) を固定する室外機の据付装置を前提としている。そして、上記据付装置には、上記折板屋根(1) の山部(1a) を横断する方向に配置されると共に、少なくとも１つが折板屋根(1) の山部(1a) に固定される一対の据付台(60a,60b) と、該各据付台(60a,60b) の両端部に取り付け固定されると共に、上記室外機(10) を設置固定するためのテーパ座金(50a,50b)とを設ける。更には、上記据付台(60a,60b) を、細長い板状の底部(61) と、該底部(61) の幅方向の両端より上方に向かって折り曲げ形成されたリブ(62) とにより構成し、上記底部(61) には、折板屋根(1) の山部(1a) に固定するための複数のボルト用長孔(63) を、折板屋根(1) の山部(1a) の各種のピッチに対応するように底部(61) の長手方向に所定ピッチで且つ所定長さで形成する一方、上記テーパ座金(50a,50b) を、矩形平板の取付部(51) と、該取付部(51) の幅方向の両端より下方に折り曲げ形成された脚部(52) とにより構成し、上記取付部(51) を、据付台(60a,60b) に固定した状態で水平姿勢になるように上記各脚部(52) に対して所定角度に設定するものである。
【００１０】
また、請求項２記載の発明が講じた手段は、請求項１記載の発明において、テーパ座金(50a,50b) には、両脚部(52) の下端より内側へ折り曲げられ、且つ下面が同一平面上の支持面(53a) を構成する支持部(53) と、取付部(51) に開口するボルト孔(54) と、上記取付部(51) 上面におけるボルト孔(54) の周囲に位置して支持面(53a) と平行な取付座(55) とを形成すると共に、上記テーパ座金(50a,50b) を、据付台(60a,60b) のリブ(62) の間に挿入されて底部(61) に載置されるように形成し、該テーパ座金(50a,50b) のボルト孔(54) と据付台(60a,60b)のボルト用長孔(63) とを貫通して設けられる締結ボルト(58a) と、該締結ボルト(58a)に螺合される締結ナット(58b) とによって、テーパ座金(50a,50b) と据付台(60a,60b) とを締結するものである。
【００１１】
また、請求項３記載の発明が講じた手段は、請求項１又は２記載の発明において、テーパ座金(50a,50b) を、ゴム製の防振部材(40) を備える取付ボルト(30) によって室外機(10) を固定するように構成するものである。そして、上記防振部材(40) を、所定厚さの盤状の上防振部(41) と、所定厚さの盤状の下防振部(42)とをテーパ座金(50a,50b) の取付部(51) の厚さに対応した間隔を存して平行に位置するように中央の軸部(43) によって一体に形成し、該防振部材(40) には、上防振部(41) の上面から軸部(43) を経て下防振部(42) の下面に貫通する孔部(44) を形成する一方、上記テーパ座金(50a,50b) の取付部(51) には、下防振部(42) が貫通する貫通孔(56) と、該貫通孔(56) に連続して軸部(43) が貫通する取付用長孔(57) とを形成する。そして、上記取付ボルト(30) を、ネジ部(32)が防振部材(40) の孔部(44) を貫通して頭部(31) が下防振部(42) に当接するように防振部材(40) を取り付けると共に、上防振部(41) と下防振部(42) とがテーパ座金(50a,50b) の取付部(51) を挟むようにテーパ座金(50a,50b) に取り付けるものである。
【００１２】
また、請求項４記載の発明が講じた手段は、請求項３記載の発明において、一対の据付台(60a,60b) のうち下側に位置する据付台(60b) のテーパ座金(50b) には、防振部材(40) の上防振部(41) の上面を覆う押え座金(35) を介して取付ボルト(30) に取付ナット(36) を螺合して該取付ボルト(30) を固定し、上記下側のテーパ座金(50b) の取付ボルト(30) には、室外機(10) が水平姿勢を維持するように該室外機(10) の据付脚(18) を挟み込む支持ナット(37) と押えナット(38) とを取り付けるものである。
【００１３】
また、請求項５記載の発明が講じた手段は、請求項４記載の発明において、テーパ座金(50a,50b) のボルト孔(54) 及び取付座(55) を、取付部(51) の左右両端部に１つずつ設け、テーパ座金(50a,50b) の貫通孔(56) を、取付用長孔(57) における長手方向の中心部に形成するものである。
【００１４】
また、請求項６記載の発明が講じた手段は、請求項４又は５記載の発明において、据付台(60b) を、重ね型の折板(2) とタイトフレーム(3) とを固定する固定ボルト(5a) をボルト用長孔(63) に貫通させ、該固定ボルト(5a) によって折板屋根(1) に締結するものである。
【００１５】
また、請求項７記載の発明が講じた手段は、請求項４又は５記載の発明において、固定部(71) と該固定部(71) の垂直上方に延びるボルト部(72) とを備えた複数のはぜ用取付部材(70) の固定部(71) をはぜ締め型の折板(2) の「はぜ(7)」に固定する一方、据付台(60a,60b) を、上記各はぜ用取付部材(70) のボルト部(72) を据付台(60a,60b) のボルト用長孔(63) に貫通させ、該ボルト部(72) によって折板屋根(1) に締結するものである。
【００１６】
また、請求項８記載の発明が講じた手段は、請求項６又は７記載の発明において、折板屋根(1) に設置された室外機(10) を、折板屋根(1) の一方から上記室外機(10) を越えて折板屋根(1) の他方に掛け渡されるワイヤー(90) によって固定支持する。そして、上記室外機(10) には、室外機(10) に対する取付片(81) と、該取付片(81) に連続して設けられてワイヤー(90) が係合するピン(83) とが形成された複数の固定金具(80a,80b) を、室外機(10) の上部周辺の相対向する部位に、室外機本体(12) に室外機(10) の天板(16) を固定するためのビス(17) によって該室外機本体(12) と天板(16) と固定金具(80a,80b) の取付片(81) とを共締めすることにより取り付け、上記ワイヤー(90) を、両端を折板屋根(1)にそれぞれ連結固定すると共に、上記室外機(10) の上部における１つの固定金具(80a,80b)のピン(83) を１巻き以上巻回し、且つ該固定金具(80a,80b) と対向する他の固定金具(80a,80b) のピン(83) を１巻き以上巻回して設ける一方、上記ワイヤー(90) に、該ワイヤー(90) を緊張状態に保持する締付部材(95) を設けるものである。
【００１７】
また、請求項９記載の発明が講じた手段は、請求項８記載の発明において、固定金具(80a,80b) の取付片(81) を、平坦な板状片に形成すると共に、締結孔(85,86) を形成し、該取付片(81) の両側辺には、該両側辺より垂直に折り曲げられると共に、取付片(81) の上辺より上方に延びる一対のフランジ(82) を連続形成する一方、固定金具(80a,80b) のピン(83) を、丸棒で形成すると共に、上記両フランジ(82) の先端部に亘って設けるものである。
【００１８】
また、請求項１０記載の室外機の発明において、固定金具(80a,80b) の取付片(81) の上端辺に、該上端辺より、フランジ(82) とは逆方向に垂直に折り曲げられる廻り止め片(87) を形成するものである。
【００１９】
また、請求項１１記載の発明が講じた手段は、請求項８乃至１０の何れか１記載の発明において、ワイヤー(90) の少なくとも一端を、固定金具(80c) を介して折板屋根(1)に連結し、該折板屋根(1) 側の固定金具(80c) と室外機(10) の固定金具(80a,80b) とを、両固定金具(80a〜80c) を兼用するように同一形状で形成するものである。
【００２０】
また、請求項１２記載の発明が講じた手段は、請求項１１記載の発明において、固定金具(80a〜80c) の取付片(81) には、室外機(10) に締結するための小径締結孔(85) を上辺側に、折板屋根(1) に締結するための大径締結孔(86) を下辺側にそれぞれ位置して形成するものである。
【００２１】
−作用−
請求項１記載の発明では、一対の据付台(60a,60b) が、折板屋根(1) の山部(1a) を横断する方向に配置され、該据付台(60a,60b) の少なくとも一方が、ボルト用長孔(63) を貫通して設けられるボルトによって折板屋根(1) の山部(1a) と締結される。上記各据付台(60a,60b) の両端部にはテーパ座金(50a,50b) が固定され、据付台(60a,60b) に固定された状態で、テーパ座金(50a,50b) の取付部(51)は水平姿勢となる。そして、該テーパ座金(50a,50b) の取付部(51) に室外機(10) を載置固定することにより、室外機(10) が折板屋根(1) 上に固定される。
【００２２】
また、請求項２記載の発明では、テーパ座金(50a,50b) は据付台(60a,60b) のリブ(62) の間に挿入され、テーパ座金(50a,50b) の支持部(53) と据付台(60a,60b) の底部(61) とが当接する。この状態で、テーパ座金(50a,50b) のボルト孔(54) と据付台(60a,60b) のボルト用長孔(63) とを貫通して設けられる締結ボルト(58a) と、該締結ボルト(58a) に螺合される締結ナット(58b) とによって、テーパ座金(50a,50b) と据付台(60a,60b) とが締結される。従って、該締結ボルト(58a) の座面は、据付台(60a,60b) の底部(61) の下面に接する一方、該締結ナット(58b) の座面は、テーパ座金(50a,50b) の取付部(51) の上面に形成された取付座(55) に接している。
【００２３】
また、請求項３記載の発明では、ゴム製の防振部材(40) を備えた取付ボルト(30) が、該防振部材(40) の上防振部(41) と下防振部(42) とがテーパ座金(50a,50b) の取付部(51) を挟むように取り付けられる。そして、該テーパ座金(50a,50b) の取付部(51) と当接している防振部材(40) の上防振部(41) に室外機(10) が載置され、取付ボルト(30) によって室外機(10) がテーパ座金(50a,50b) に固定される。
【００２４】
また、請求項４記載の発明では、一対の据付台(60a,60b) のうち下側に位置する据付台(60b) のテーパ座金(50b) には、押え座金(35) を介して取付ボルト(30) に螺合された取付ナット(36) によって、該取付ボルト(30) が固定される。そして、室外機(10) の据付脚(18) が支持ナット(37) と押えナット(38) とによって挟み込まれて取付ボルト(30) に固定され、該室外機(10) の重量は支持ナット(37) から取付ボルト(30) を介してテーパ座金(50b) の取付部(51) で支持される。
【００２５】
また、請求項５記載の発明では、テーパ座金(50a,50b) を据付台(60a,60b) の右端部に設ける場合には、貫通孔(56) に取り付けた取付ボルト(30) を取付用長孔(57) に沿って左へ移動させて防振部材(40) の上防振部(41) と下防振部(42) とで取付部(51) を挟み込んで取付ボルト(30) をテーパ座金(50a,50b) に取り付ける一方、取付部(51) の右端部のボルト孔(54) を貫通して設けた締結ボルト(58a) によってテーパ座金(50a,50b) と据付台(60a,60b) とが締結される。また、テーパ座金(50a,50b) を据付台(60a,60b) の左端部に設ける場合には、取付ボルト(30) を取付用長孔(57) に沿って右へ移動させて取付ボルト(30) をテーパ座金(50a,50b) に取り付ける一方、取付部(51) の左端部のボルト孔(54) を貫通して設けた締結ボルト(58a) によってテーパ座金(50a,50b) と据付台(60a,60b) とが締結される。
【００２６】
また、請求項６記載の発明では、重ね型の折板(2) とタイトフレーム(3) とを固定する固定ボルト(5a) がボルト用長孔(63) を貫通し、該固定ボルト(5a) によって据付台(60b) と折板屋根(1) とが締結される。
【００２７】
また、請求項７記載の発明では、はぜ締め型の折板(2) の「はぜ(7)」に固定されたはぜ用取付部材(70) のボルト部(72) がボルト用長孔(63) を貫通し、該ボルト部(72) によって据付台(60a,60b) とはぜ用取付部材(70) とを締結することにより、据付台(60a,60b) が折板屋根(1) に固定される。
【００２８】
また、請求項８記載の発明では、室外機(10) の上部周辺の対向する部位に、室外機本体(12) と天板(16) と固定するビス(17) を利用して取り付けられた複数の固定金具(80a,80b) のうち、対向する位置にある２つの取付金具に対してワイヤー(90) が取り付けられる。このワイヤー(90) は、両端が固定台に固定される一方、上記２つの固定金具(80a,80b) に設けられたピン(83) にそれぞれ１回以上巻回して取り付けられる。そして、締付部材(95) によってこのワイヤー(90) を緊張状態に保持すると、一方の固定金具(80a,80b) のピン(83) には、該ピン(83) からワイヤー(90) の端部へ向かう方向に力と、該ピン(83) から他方の固定金具(80a,80b) のピン(83) へ向かう方向の力とが作用する。このため、上記２方向の力の合力が固定金具(80a,80b) を介して室外機(10) に作用して室外機(10) が折板屋根(1) に固定される。
【００２９】
また、請求項９記載の発明では、固定金具(80a,80b) の取付片(81) に設けられた締結孔(85) にビス等の締結部材を貫通させて設け、該締結部材によって固定金具(80a,80b) が室外機(10) に取り付けられる。また、ワイヤー(90) が丸棒で形成された固定金具(80a,80b) のピン(83) に巻回されて取り付けられる。
【００３０】
また、請求項１０記載の発明では、固定金具(80a,80b) を室外機(10) に取り付けた際に、廻り止め片(87) の下面と天板(16) の上面とが当接する。
【００３１】
また、請求項１１記載の発明では、室外機(10) 及び折板屋根(1) には同一形状の固定金具(80a〜80c) が取り付けられると同時に、該ワイヤー(90) の少なくとも一端は折板屋根(1) に取り付けられた固定金具(80c) のピン(83) に連結固定される。
【００３２】
また、請求項１２記載の発明では、固定金具(80a,80b) を室外機(10) に固定する際には、小径締結孔(85) を貫通させてビス等の小径の締結部材を設け、該ビス等により固定金具(80a,80b) を室外機(10) に固定する一方、固定金具(80c)を折板屋根(1) に固定する際には、大径締結孔(86) を貫通させてボルト等の大径の締結部材を設け、該ボルト等により取付金具を折板屋根(1) に固定する。また、固定金具(80c) は、折板屋根(1) に固定される際には、該固定金具(80c) のピン(83) を室外機(10) 側にして折板屋根(1) に取り付けられる。
【００３３】
【発明の効果】
従って、請求項１記載の発明によれば、各種の山ピッチを持つ折板屋根(1) に対して同一形状の据付台(60a,60b) を取り付けることができる。従って、一種類の据付台(60a,60b) によって多種の折板屋根(1) に対応することができるため、据付工事現場での作業を削減することができ、設置工事の簡素化及び確実化を図ることができる。また、テーパ座金(50a,50b) を据付台(60a,60b) に取り付けられて水平姿勢となる取付部(51) に室外機(10) を取り付けるため、室外機(10) を確実に水平姿勢に保つことができ、この結果、室外機(10) を折板屋根(1) に確実に取り付けることができる。
【００３４】
また、請求項２記載の発明によれば、テーパ座金(50a,50b) を据付台(60a,60b) のリブ(62) の間に挿入して据付台(60a,60b) 上に保持することができるため、ボルトによる仮止め等が必要なく、テーパ座金(50a,50b) の位置決め作業を容易に行うことができる。また、据付台(60a,60b) の底部(61) の下面と支持面(53a)とは平行であるため、取付部(51) の上面におけるボルト孔(54) の周囲に形成される取付座(55) は、据付台(60a,60b) の底部(61) の下面と平行となる。従って、締結ボルト(58a) 及び締結ナット(58b) による締結力を、互いに平行な面である上記底部(61) の下面と取付座(55) とに作用させることができ、この結果、テーパ座金(50a,50b) と据付台(60a,60b) とを確実に締結することができる。
【００３５】
また、請求項３記載の発明によれば、室外機(10) は、取付ボルト(30) によって、防振部材(40) を介してテーパ座金(50a,50b) の取付部(51) に固定されるため、室外機(10) の運転に伴って生ずる振動がテーパ座金(50a,50b) 及び据付台(60a,60b) を介して折板屋根(1) に伝わるのを確実に防ぐことができる。また、室外機(10) が固定される取付ボルト(30) は、テーパ座金(50a,50b) と直接接触することなく防振部材(40) を介して接触する一方、防振部材(40) はゴム製であるため、室外機(10) とテーパ座金(50a,50b) とを電気的に絶縁することができ、室外機(10) において万一漏電が生じた際にも、電気が室外機(10) から折板屋根(1) に伝わることがない。
【００３６】
また、請求項４記載の発明によれば、室外機(10) の重量は押え座金(35) を介して防振部材(40) の上防振部(41) の全面で支持されるため、該防振部材(40) によって室外機(10) で発生する振動を確実に遮断することができる。
【００３７】
また、請求項５記載の発明によれば、同一形状のテーパ座金(50a,50b) を据付台(60a,60b) の左右両端部に取り付けることができるため、据付装置を構成する部品の種類を削減することができる。
【００３８】
また、請求項６記載の発明によれば、折板屋根(1) を全く加工することなく、且つ新たな部材を設けることなく据付台(60b) を折板屋根(1) に固定することができ、室外機(10) を折板屋根(1) に確実に固定することができる。
【００３９】
また、請求項７記載の発明によれば、はぜ用取付部材(70) を用いて据付台(60a,60b) を折板屋根(1) に固定することができるため、折板屋根(1) を全く加工することなく室外機(10) を折板屋根(1) に確実に固定することができる。
【００４０】
また、請求項８記載の発明によれば、ワイヤー(90) を互いに対向する位置に取り付けられた固定金具(80a,80b) の双方のピン(83) に巻回して取り付けているため、一方の固定金具(80a,80b) のピン(83) には、該ピン(83) からワイヤー(90)の端部へ向かう方向に力を作用させることができると同時に、該ピン(83) から他方の固定金具(80a,80b) のピン(83) へ向かう方向の力も作用させることができる。つまり、ピン(83) には上記２つの力の合力である下向きの力のみを作用させることができるため、固定金具(80a,80b) を室外機(10) から引き剥がす方向への力を固定金具(80a,80b) に作用させることなくワイヤー(90) に張力を与えることができ、この結果、室外機(10) の固定を確実に行うことができる。  また、室外機(10) に全く加工を施すことなく固定金具(80a,80b) を室外機(10) に取り付けることができる。
【００４１】
また、請求項９記載の発明によれば、固定金具(80a,80b) の形状を具体的に特定することができ、該固定金具(80a,80b) を用いて室外機(10) を確実に固定することができる。また、固定金具(80a,80b) のピン(83) を丸棒で形成したため、該ピン(83) にワイヤー(90) を巻回して設けた場合においても、該ワイヤー(90) の一部分だけが強く曲げられることがなく、ワイヤー(90) の破断を確実に防ぐことができる。
【００４２】
また、請求項１０記載の発明によれば、固定金具(80a,80b) にビス(17) を軸として回転させる方向の力が作用した場合であっても、廻り止め片(87) の底面と天板(16) の上面とが当接しているため、固定金具(80a,80b) の回転を阻止し、固定金具(80a,80b) を室外機(10) に確実に固定することができる。従って、固定金具(80a,80b) のピン(83) と、これに係合するワイヤー(90) の端部とが一直線上とはならず、ワイヤー(90) を斜めに張り渡した状態であっても、室外機(10) を確実に固定することができる。
【００４３】
また、請求項１１記載の発明によれば、室外機(10) に取り付ける固定金具(80a,80b) と同一形状の固定金具(80c) を折板屋根(1) にも取り付けて、該折板屋根(1) 側の固定金具(80c) にワイヤー(90) の一端を連結することができるため、据付装置を構成する部品の種類を削減することができる。
【００４４】
また、請求項１２記載の発明によれば、小径締結孔(85) と大径締結孔(86) との間のピッチを狭くすることができる。即ち、固定金具(80a,80b) を室外機(10)に取り付ける場合には、該固定金具(80a,80b) を押し下げる力が作用するため、小径締結孔(85) の内周側面には取付片(81) の上辺側への力が作用する一方、固定金具(80c) を折板屋根(1) に取り付ける際には、該固定金具(80c) を室外機(10) の方へ引き寄せる力が作用するため、大径締結孔(86) の内周側面には取付片(81) の下辺側への力が作用する。従って、取付片(81) における小径締結孔(85)の上部と大径締結孔(86) の下部とには強度が必要であるのに対して、小径締結孔(85) と大径締結孔(86) との間の部分はそれ程強度を必要とされず、両締結孔(85,86) 間のピッチを狭くすることができ、この結果、取付片(81) を小型化することができる。
【００４５】
【発明の実施の形態１】
以下、本発明の実施形態について詳細に説明する。
【００４６】
空調機の室外機(10) は、図１に示すように、本発明の特徴とする支持手段(20a) と固定手段(20b) とによって、はぜ締め型の折板(2) で形成される折板屋根(1) の上に設置されている。
【００４７】
上記折板屋根(1) は、山部(1a) が所定ピッチで繰り返すように該山部(1a) と谷部(1b) とが交互に連続するように形成されたものであり、図２３に示すように、梁(8) に溶接等によって固定されたタイトフレーム(3) に垂直上方へ延びる吊子(4) をはぜ用ボルト(6) で締結する一方、両側部がそれぞれ所定形状に形成されたはぜ締め型の折板(2) を上記タイトフレーム(3) の上に並べ、隣り合う折板(2) の各側部と吊子(4) とを共に折り曲げることによって一体に形成されている。また、上記折板屋根(1) は、折板(2) の長手方向に雨水を排水するための屋根勾配がつけられて形成されている。この屋根勾配は、3/100〜5/100とするのが一般的である。また、上記折板屋根(1) には、山部(1a) のピッチが、例えば、300,333,450,500,550,650,700 (mm) というように数多くの種類がある。
【００４８】
上記室外機(10) は、図２に示すように、縦長の直方体に形成され、底面には奥行き方向へ向かって延びる２本の据付脚(18) が設けられる一方、各据付脚(18) の両端部にはそれぞれ据付用ボルト孔(19) が形成されている。また、ケーシング(11) 内には、図示しないが、熱交換器が収納されると共に、２つのファンが上下２段に収納されている。
【００４９】
上記ケーシング(11) には、空気の吸込口(13) が側面及び背面に形成される一方、前面に２つの吹出口(14) が上下に形成されている。そして、上記ケーシング(11) は、前後及び両側を覆う本体ケーシング(12) に天板(16) が取り付けられて構成されている。上記天板(16) は、四辺を下方に折り曲げた折曲げ片(16a)を本体ケーシング(12) に嵌め込み、固定ビス(17) によって該本体ケーシング(12) に取り付けられている。
【００５０】
上記支持手段(20a) は、取付ボルト(30) 、テーパ座金(50a,50b) 、据付台(60a,60b) 及びはぜ用取付金具(70) により構成されている。
【００５１】
上記取付ボルト(30) は、図３又は図４に示すように、頭部(31) とネジ部(32)とにより形成されると共に、ゴム製の防振部材(40) を備えている。また、上記ネジ部(32) の頭部(31) 側の端部には所定長さに亘って正方形断面の角部(33) が形成されている。上記防振部材(40) は、所定厚さの円盤状の上防振部(41) と、所定厚さの円盤状の下防振部(42) とが後述するテーパ座金(50a,50b) の取付部(51) の厚さに対応した間隔を存して平行に位置するように中央の軸部(43) によって一体に形成されて成る一方、該上防振部(41) の上面には、図示しないが、所定幅及び所定深さで上防振部(41) と同心円状の溝が所定間隔で２本設けられており、より確実に振動を遮断するようにしている。また、上防振部(41) の上面から軸部(43) を経て下防振部(42) の下面に貫通する孔部(44) が形成される一方、該孔部(44) の下防振部(42) 側の端部には、正方形断面に形成されて取付ボルト(30) の角部(33) が嵌り込む角穴部(45) が形成されている。そして、取付ボルト(30) には、ネジ部(32) が防振部材(40) の孔部(44) を貫通し、角部(33) が角穴部(45)に嵌り込んで取付ボルト(30) に対する防振部材(40) の回転が阻止されると同時に、頭部(31) と下防振部(42) とが当接するように防振部材(40) が取り付けられる。
【００５２】
上記テーパ座金(50a,50b) は、図５又は図６に示すように、矩形平板の取付部(51) と、該取付部(51) の幅方向の両端より下方に折り曲げ形成された脚部(52)と、両脚部(52) の下端より内側へ折り曲げられ、且つ下面が同一平面上の支持面(53a) を構成する支持部(53) とにより構成される一方、上記取付部(51) は、据付台(60a,60b) に固定した状態で水平姿勢になるように上記各脚部(52) に対して所定角度に設定されている。具体的には、支持面(53a) に対して5/100の勾配、つまり折板屋根(1) の屋根勾配と同じ勾配が取付部(51) の上面に与えられている。上記取付部(51) には、左右両端部に１つずつ開口するボルト孔(54) と、下防振部(42) が貫通する貫通孔(56) と、該貫通孔(56) に連続して軸部(43) が貫通する取付用長孔(57) とが形成される一方、該取付部(51) 上面のボルト孔(54) の周囲に位置して支持面(53a) と平行な取付座(55) が形成され、また該貫通孔(56) は、取付用長孔(57) における長手方向の中心部に形成されている。
【００５３】
上記据付台(60a,60b) は、図７又は図８に示すように、細長い板状の底部(61)と、該底部(61) の幅方向の両端より上方に向かって折り曲げ形成されたリブ(62) とにより構成されている。具体的に、据付台(60a,60b) は、例えば、全長が８８０mm に形成される一方、７つのボルト用長孔(63) が形成されている。該ボルト用長孔(63) は、長さが９０mm に形成されると共に、両側の１番目のボルト用長孔(63) と該ボルト用長孔(63) より内側の２番目のボルト用長孔(63) とのピッチが１００mm に、２番目のボルト用長孔(63) と該ボルト用長孔(63) より内側の３番目のボルト用長孔(63) とのピッチが１３８mm に、３番目のボルト用長孔(63) と中央のボルト用長孔(63) とのピッチが１００mm に形成されている。また、上記リブ(62) の左右両端部には、中心から等距離に位置して、それぞれ所定ピッチで３つの切れ込みであるＶカット(64) が設けられており、各端部の対応するＶカット(64) 間の距離が、室外機(10) の両据付脚(18) のピッチに対応するように形成されている。
【００５４】
上記はぜ用取付金具(70) は、固定部(71) と該固定部(71) から垂直上方に延びるボルト部(72) とを備える一方、該固定部(71) は、折板屋根(1) の「はぜ(7)」を両側から挟み込むことにより折板屋根(1) に固定されるように構成されており、該はぜ用取付金具(70) は、はぜ用取付部材に構成されている。
【００５５】
上記固定手段(20b) は、１本のワイヤー(90) と４つの固定金具(80a〜80c) と、２つの締付金具(95) とより構成され、上記室外機(10) の両側部に設けられている。
【００５６】
上記ワイヤー(90) は、室外機(10) の前方から後方に亘って掛け渡して室外機(10) を固定するものである。
【００５７】
上記４つの固定金具(80a〜80c) は、室外機(10) の前面及び背面に取り付けられる前面固定金具(80a) 及び背面固定金具(80b) と、屋上の床部に取り付けられる２つのアンカー固定金具(80c) である。
【００５８】
上記前面固定金具(80a) 及び背面固定金具(80b) は、室外機(10) の前面（図１では左側側面に対応）の上端部と背面（図１では右側側面に対応）の上端部とにおける相対向する位置に、取り付けられている。
【００５９】
上記アンカー固定金具(80c) は、折板屋根(1) における室外機(10) の前面方向へ所定距離をおいた前面固定金具(80a) と対向する位置と、室外機(10) の背面方向へ所定距離をおいた背面固定金具(80b) と対向する位置とにそれぞれ設けられている。具体的に、両アンカー固定金具(80c) は、折板屋根(1) の山部(1a)に形成された「はぜ(7)」に上記はぜ用取付金具(70) を介して締結されている。
【００６０】
該ワイヤー(90) の両端部にはそれぞれ締付金具(95) が設けられており、該締付金具(95) はワイヤー(90) を緊張状態に保持するように構成されている。
【００６１】
上記固定金具(80a〜80c) は、本発明の特徴とするものであって、図９に示すように、平坦な板状片に形成された取付片(81) を備える一方、該取付片(81) の両側端には、両側辺より垂直に折り曲げられると共に、取付片(81) の上辺より上方に延びる一対のフランジ(82) が連続形成されている。上記取付片(81) には室外機(10) に締結するための小径締結孔(85) が上辺側に、建物の床部に締結するための大径締結孔(86) が下辺側にそれぞれ位置して形成されている。上記両フランジ(82) の先端部には、それぞれの相対向する位置にリベット孔が形成される一方、リベット(84) を一方の上記リベット孔から他方のリベット孔へと貫通して設けると共に該リベット(84) の他端をかしめ、該リベット(84) がワイヤー(90) と係合するピン(83) を構成している。
【００６２】
上記締付金具(95) は、ワイヤー(90) が貫通するワイヤー孔を２つ備えると共に、各ワイヤー孔に挿入されたワイヤー(90) の挿入方向への移動を許容する一方、挿入方向と逆方向への動きを規制する機構が設けられている。
【００６３】
−据付手順−
次に、上記支持手段(20a) 及び固定手段(20b) による室外機(10) の据付手順について説明する。
【００６４】
先ず、上記支持手段(20a) による室外機(10) の据付手順について説明すると、図１０又は図１１に示すように、折板屋根(1) の山部(1a) の横断方向に一対の据付台(60a,60b) を設ける。具体的に、山部(1a) に形成された「はぜ(7)」には、各据付台(60a,60b) の中央部と両端部とに対応した位置に３つずつ合計６つのはぜ用取付金具(70) を固定し、該はぜ用取付部材(70) のボルト部(72) が各据付台(60a,60b) のボルト用長孔(63) に貫通するように各据付台(60a,60b) を取り付け、該ボルト部(72) と、これに螺合する据付ナット(65) とによって各据付台(60a,60b) を締結固定している。その際、一対の据付台(60a,60b) のうち下側に位置する据付台(60b) を取り付けるはぜ用取付金具(70) は、タイトフレーム(3) の位置に対応して設ける。これによって、室外機(10) が、タイトフレーム(3) を介して、梁(8) によって確実に支持される。また、据付台(60a,60b) のボルト用長孔(63) は、例えば、上述のようなピッチで設けられているため、上記の何れの山部(1a) のピッチを有する折板屋根(1) に対しても、該据付台(60a,60b) が取り付けられる。尚、本実施形態では、折板屋根(1) と各据付台(60a,60b) とを３つずつ合計６つのはぜ用取付金具(70) によって固定するようにしたが、これは上記折板屋根(1) の山部(1a) のピッチが 300,333 mm の場合である。そして、据付台(60a,60b) の全長が880 mm であるため、山部(1a) のピッチが 450 mm 以上の場合には、２つずつ合計４つのはぜ用取付金具(70) によって各据付台(60a,60b) を折板屋根(1) に固定することになる。
【００６５】
上記各据付台(60a,60b) には、それぞれの両端部に１つずつ合計４つのテーパ座金(50a,50b) が取り付けられる。該テーパ座金(50a,50b) は、取付部(51) が水平姿勢となるような姿勢で、据付台(60a,60b) のリブ(62) の間に挿入されて底部(61) に載置される。その際、据付台(60a,60b) のリブ(62) の両端部に設けられたＶカット(64) の位置を目安にして、テーパ座金(50a,50b) の位置を合わせる。そして、各テーパ座金(50a,50b) の左右両端部に形成されたボルト孔(54)のうち据付台(60a,60b) の端部側に形成されたボルト孔(54) と、据付台(60a,60b) の対応する位置に開口するボルト用長孔(63) とに貫通して締結ボルト(58a)が設けられる一方、該締結ボルト(58a) と、これに螺合する締結ナット(58b) とによって、据付台(60a,60b) の両端部に設けられたテーパ座金(50a,50b) が据付台(60a,60b) に締結固定される。その際、該締結ナット(58b) の座面は、支持面(53a) と平行面に形成された取付座(55) と接しているため、締結ボルト(58a)及び締結ナット(58b) によるテーパ座金(50a,50b) と据付台(60a,60b) とが確実に締結される。
【００６６】
上記各テーパ座金(50a,50b) には、上記防振部材(40) を備えた取付ボルト(30) が取り付けられる。具体的には、図１２又は図１３に示すように、該防振部材(40) の下防振部(42) がテーパ座金(50a,50b) の貫通孔(56) を貫通するように取付部(51) に載置された取付ボルト(30) を、該テーパ座金(50a,50b) が固定されている据付台(60a,60b) の中央方向へ取付用長孔(57) に沿って移動させる。これによって、該取付ボルト(30) は、防振部材(40) の上防振部(41) と下防振部(42) とが取付部(51) を挟むようにテーパ座金(50a,50b) に取り付けられる。
【００６７】
上記一対の据付台(60a,60b) のうち下側に位置する据付台(60b) のテーパ座金(50b) には、図１１に示すように、防振部材(40) の上防振部(41) の上面を覆う押え座金(35) を介して取付ボルト(30) に取付ナット(36) が螺合され、該取付ナット(36) によって取付ボルト(30) が固定される。上記下側のテーパ座金(50b) の取付ボルト(30) には支持ナット(37) と押えナット(38) とが取り付けられており、該室外機(10) の据付脚(18) に開口する据付用ボルト孔(19) に取付ボルト(30) が貫通するように室外機(10) を設け、該支持ナット(37) と押えナット(38)とで室外機(10) が水平姿勢を維持するように該室外機(10) の据付脚(18)を挟み込み、室外機(10) を固定している。
【００６８】
一方、上側に位置する据付台(60a) のテーパ座金(50a) においては、該室外機(10) の据付用ボルト孔(19) に取付ボルト(30) が貫通するように室外機(10) を防振部材(40) の上防振部(41) に載置し、取付ボルト(30) に螺合する取付ナット(36) によって室外機(10) がテーパ座金(50a) に締結固定される。
【００６９】
次に、上記固定手段(20b) による室外機(10) の据付手順について、図１４に基づいて説明する。尚、図１４は背面固定金具(80b) のみを示しているが、前面固定金具(80a) の場合は図１４を左右に反転させた状態となる。
【００７０】
上記前面及び背面固定金具(80b) は、両固定金具(80a,80b) の取付片(81) に設けられた小径締結孔(85) に固定ビス(17) を貫通させ、上記本体ケーシング(12)及び天板(16) と固定金具(80a,80b) の取付片(81) とを固定ビス(17) によって共締めすることにより、室外機(10) に取り付けられる。また、上記前面固定金具(80a) から背面固定金具(80b) へと掛け渡されるワイヤー(90) と室外機(10) との接触を防ぐため、上記小径締結孔(85) は、固定金具(80a,80b) を室外機(10) に取り付けた際には該固定金具(80a,80b) のフランジ(82) が室外機(10) の上面より上に突出した状態となる位置に設けられる。一方、ワイヤー(90) は、リベット(84) で形成された固定金具(80a,80b) のピン(83) に１回巻回されることにより該ピン(83) に係合される。尚、該ワイヤー(90) をピン(83) に複数回巻回すようにしてもよい。
【００７１】
上記アンカー固定金具(80c) は、山部(1a) に形成された「はぜ(7)」に固定したはぜ用取付金具(70) のボルト部(72) が各アンカー固定金具(80c) の大径締結孔(86) に貫通するように取り付けられ、該ボルト部(72) と、これに螺合するナットとによって折板屋根(1) に締結固定される。
【００７２】
上記ワイヤー(90) の両端部は、締付金具(95) の一方のワイヤー孔にワイヤー(90) を通す一方、このワイヤー(90) をアンカー固定金具(80c) のピン(83) に回した後に、ワイヤー(90) を締付金具(95) の他方のワイヤー孔に再び通すことによりアンカー固定金具(80c) に連結される。
【００７３】
上述のような状態において、室外機(10) に掛け渡されると同時に両端がアンカー固定金具(80c) に連結固定されたワイヤー(90) の両端を引っ張り、該ワイヤー(90) を緊張状態に保持することにより、室外機(10) の固定を行う。つまり、上述のように上記前面固定金具(80a) 及び背面固定金具(80b) のピン(83) には１本のワイヤー(90) が１回巻回されて係合されているため、該ワイヤー(90) を緊張状態に保持することによって、該固定金具(80a,80b) のピン(83) には、図１５に示すように、力 F1 と力 F2 とが作用する。尚、図１５は背面固定金具(80b) のピン(83) に作用する力のみを示しているが、前面固定金具(80a) に作用する力については図１５を左右反転させた状態となる。従って、上記ピン(83)には、力Ｆ1 と力Ｆ2 との合力である下向き且つ室外機(10) に対して内向きの力Ｆ が作用することとなり、該力Ｆ が固定金具(80a,80b) を介して室外機(10)
に作用し、室外機(10) が折板屋根(1) に固定される。
【００７４】
−実施形態１の効果−
本実施形態１によれば、各種の山ピッチを持つ折板屋根(1) に対して同一形状の据付台(60a,60b) を取り付けることができる。従って、一種類の据付台(60a,60b) によって多種の折板屋根(1) に対応することができるため、据付工事現場での作業を削減することができ、設置工事の簡素化及び確実化を図ることができる。
【００７５】
また、テーパ座金(50a,50b) を据付台(60a,60b) に取り付けられて水平姿勢となる取付部(51) に取付ボルト(30) を取り付け、該取付ボルト(30) によって室外機(10) を締結固定することができる。従って、下側に位置する据付台(60b) のテーパ座金(50b) に設けられた支持ナット(37) の高さを調節することによって室外機(10) を水平姿勢に保持することができる。また、テーパ座金(50a,50b)の取付部(51) は水平姿勢となるため、支持ナット(37) の座面、押えナット(38) の座面及び室外機(10) の据付脚(18) はそれぞれ平行となるため、室外機(10)を確実に固定ボルト(5a) に締結固定できる。
【００７６】
また、テーパ座金(50a,50b) を据付台(60a,60b) のリブ(62) の間に挿入して据付台(60a,60b) 上に保持することができるため、ボルトによる仮止め等が必要なく、テーパ座金(50a,50b) の位置決め作業を容易に行うことができる。
【００７７】
また、室外機(10) は、取付ボルト(30) によって、防振部材(40) を介してテーパ座金(50a,50b) の取付部(51) に固定されるため、室外機(10) の運転に伴って生ずる振動がテーパ座金(50a,50b) 及び据付台(60a,60b) を介して折板屋根(1) に伝わるのを確実に防ぐことができる。
【００７８】
また、室外機(10) が固定される取付ボルト(30) は、テーパ座金(50a,50b) と直接接触することなく防振部材(40) を介して接触する一方、防振部材(40) はゴム製であるため、室外機(10) とテーパ座金(50a,50b) とを電気的に絶縁することができる。
【００７９】
また、下側に位置する据付台(60b) のテーパ座金(50b) に取り付けられた取付ボルト(30) において、室外機(10) の重量は押え座金(35) を介して防振部材(40) の上防振部(41) の全面で支持されるため、該防振部材(40) によって室外機(10) で発生する振動を確実に遮断することができる。
【００８０】
また、上記ピン(83) には、力Ｆ1 と力Ｆ2 との合力である下向き且つ室外機(10) に対して内向きの力Ｆ を作用させることができる。従って、力Ｆ の水平成分は前面及び背面固定金具(80a,80b) の取付片(81) をケーシング(11) に押し付けるように作用し、上記固定ビス(17) には力Ｆ の垂直成分のみが作用することとなり、該固定ビス(17) に引き抜き方向の力が作用するのを防ぐことができる。この結果、該固定ビス(17) が抜け落ちるおそれがなくなり、ワイヤー(90) に充分な張力を与えることができ、室外機(10) を確実に固定することができる。
【００８１】
また、もともと室外機(10) に取り付けられている固定ビス(17) を用いて固定金具(80a,80b) を室外機(10) に取り付けるため、室外機(10) に加工を施す必要がない。
【００８２】
また、ピン(83) が丸棒形状であるため、該ピン(83) にワイヤー(90) を巻回して設けた場合に、該ワイヤー(90) の一部分だけが強く曲げられることがなく、ワイヤー(90) の破断を確実に防ぐことができる。
【００８３】
【発明の実施の形態２】
本発明の実施形態２は、上記実施形態１がはぜ締め型の折板で形成される折板屋根の上に室外機(10) を設置したのに代えて、重ね型の折板(2) で形成される折板屋根(1) の上に室外機(10) を設置するものである。それに伴って、本実施形態における支持手段(20a) は、取付ボルト(30) 、テーパ座金(50a,50b) 及び据付台(60a,60b) によって構成されており、実施形態１のようなはぜ用取付金具(70) は不要である。
【００８４】
上記重ね型の折板屋根(1) は、山部(1a) が所定ピッチで繰り返すように該山部(1a) と谷部(1b) とが交互に連続するように形成されたものであり、図２２に示すように、梁(8) に溶接等によって固定されたタイトフレーム(3) 上に隣り合う折板(2) の両側部が重なり合うように並べ、重なり合った両折板(2) の各側部とタイトフレーム(3) とを固定ボルト(5a) 及び固定ナット(5b) によって締結して一体に形成されている。また、上記折板屋根(1) には、実施形態１における折板屋根(1) と同様の屋根勾配がつけられている。
【００８５】
上述のように、支持手段(20a) は、取付ボルト(30) 、テーパ座金(50a,50b) 及び据付台(60a,60b) により構成されており、該取付ボルト(30) 、テーパ座金(50a,50b) 及び据付台(60a,60b) の構成は、実施形態１と同様である。そして、２つの据付台(60a,60b) のうち、下側の据付台(60b) は、上記固定ボルト(5a) のねじ部分が折板屋根(1) の上方に突出しているので、この固定ボルト(5a) を据付台(60b) のボルト用長孔(63) に挿入して据付ナット(65) で取り付けられるように構成されている。
【００８６】
また、固定手段(20b) は、実施形態１と同様に、１本のワイヤー(90) と４つの固定金具(80a〜80c) と、２つの締付金具(95) とより構成され、上記室外機(10)の両側部に設けられる一方、該ワイヤー(90) 、固定金具(80a〜80c) 及び締付金具(95) の構成も、実施形態１と同様である。ただし、上記４つの固定金具(80a〜80c) のうちの２つのアンカー固定金具(80c) は、上記重ね型の折板屋根(1) を形成する固定ボルト(5a) によって該折板屋根(1) に締結固定されている。
【００８７】
−据付手順−
次に、上記支持手段(20a) 及び固定手段(20b) による室外機(10) の据付手順について説明する。
【００８８】
先ず、上記支持手段(20a) による室外機(10) の据付状態について説明すると、図１６又は図１７に示すように、折板屋根(1) の山部(1a) の横断方向に一対の据付台(60a,60b) を設ける。具体的に、一対の据付台(60a,60b) の一方を、折板屋根(1) の山部(1a) に突出する固定ボルト(5a) が該据付台(60b) のボルト用長孔(63) を貫通するように載置し、該固定ボルト(5a) に螺合する据付ナット(65) によって該一方の据付台(60b) を折板屋根(1) に締結固定する。また、他方の据付台(60a) は、折板屋根(1) に締結固定した据付台(60b) の上方に位置して、山部(1a) に載置される。
【００８９】
上記据付台(60a,60b) には、実施形態１と同様に、４つのテーパ座金(50a,50b) が設けられると共に、該各テーパ座金(50a,50b) には、実施形態１と同様に、防振部材(40) を備えた取付ボルト(30) が取り付けられる。
【００９０】
上記一対の据付台(60a,60b) のうち下側に位置する据付台(60b) のテーパ座金(50b) には、図１７に示すように、防振部材(40) の上防振部(41) の上面を覆う押え座金(35) が設けられる。そして、室外機(10) の据付脚(18) に開口する据付用ボルト孔(19) に取付ボルト(30) が貫通するように、押え座金(35) に室外機(10) を載置し、該取付ボルト(30) に螺合する取付ナット(36) により室外機(10)を締結固定している。尚、必要に応じて、実施形態１と同様に、支持ナット(37)と押えナット(38) とを用いて室外機(10) を締結固定するようにしてもよい。
【００９１】
一方、上側に位置する据付台(60a) のテーパ座金(50a) においては、該室外機(10) の据付脚(18) に開口する据付用ボルト孔(19) に取付ボルト(30) が貫通するように室外機(10) を防振部材(40) の上防振部(41) に載置し、取付ボルト(30) に螺合する取付ナット(36) によって室外機(10) がテーパ座金(50a,50b) に締結固定される。
【００９２】
また、上記固定手段(20b) による室外機(10) の据付状態については、実施形態１と同様である。
【００９３】
−実施形態２の効果−
本実施形態２によれば、実施形態１で得られる効果と同様の効果が得られる。
【００９４】
また、折板屋根(1) を構成する固定ボルト(5a) に据付台(60a,60b) を締結固定しているため、より少ない構成部品によって、室外機(10) を折板屋根(1) に据え付けることができる。
【００９５】
【発明のその他の実施の形態】
本発明は、上記実施形態１及び２について、以下のような構成としてもよい。
【００９６】
先ず、図１８又は図１９に示すように、据付台(60a,60b) のリブ(62) の高さをより高く形成する一方、テーパ座金(50a,50b) には支持部を設けず、またテーパ座金(50a,50b) の取付部(51) にはボルト孔及び取付座を設けない。また、上記据付台(60a,60b) のリブ(62) を、一方のリブ(62) の高さが他方のリブ(62) の高さよりも所定値だけ高くなるように形成すると共に、テーパ座金(50a,50b) の両脚部(52) の間を据付台(60a,60b) の幅よりも長くなるように形成する。
【００９７】
そして、各据付台(60a,60b) を折板屋根(1) に固定する際には、高さを高く形成した一方のリブ(62) が折板屋根(1) の勾配に対して下側に位置するように固定する一方、該据付台(60a,60b) にテーパ座金(50a,50b) を被せるように設ける。その際、テーパ座金(50a,50b) の取付部(51) の下面が据付台(60a,60b) のリブ(62) の上端と当接し、テーパ座金(50a,50b) が据付台(60a,60b) のリブ(62) 上に保持される。この状態において、両脚部(52) にボルト孔(54) を設け、一方の脚部(52) のボルト孔(54) から他方の脚部(52) のボルト孔(54) へと貫通するように締結ボルト(58a) を設け、該締結ボルト(58a) と、これに螺合する締結ナット(58b) とによって、据付台(60a,60b) とテーパ座金(50a,50b) とを締結固定する。尚、図１８は、実施形態２に本変形例を適用した場合について示している。
【００９８】
これによると、テーパ座金(50a,50b) には支持部と取付座とを形成する必要がなくなり、テーパ座金(50a,50b) の形状を簡素化することができ、この結果、テーパ座金(50a,50b) の加工を容易にすることができる。また、テーパ座金(50a,50b) が据付台(60a,60b) のリブ(62) 上に保持することができるため、ボルトによる仮止め等が必要なく、テーパ座金(50a,50b) の位置決め作業を容易に行うことができる。
【００９９】
上記実施形態において、図２０に示すように、上記前面及び背面固定金具(80a,80b) の取付片(81) の上端辺に、該上端辺より、フランジ(82) とは逆方向に垂直に折り曲げられる廻り止め片(87) を形成するようにしてもよい。そして、該固定金具(80a,80b) を室外機(10) に取り付けた際には、図２１に示すように、廻り止め片(87) の下面と天板(16) の上面とが当接する。
【０１００】
これによると、固定金具(80a,80b) にビス(17) を軸として回転させる方向の力が作用した場合であっても、廻り止め片(87) の下面と天板(16) の上面とが当接しているため、固定金具(80a,80b) の回転を阻止し、固定金具(80a,80b) を室外機(10) に確実に固定することができる。従って、固定金具(80a,80b) のピン(83) と、これに係合するワイヤー(90) の端部とが一直線上とはならず、ワイヤー(90) を斜めに張り渡した状態であっても、室外機(10) を確実に固定することができる。
【０１０１】
尚、上記の変形例における固定金具(80a,80b) と同一形状のものをアンカー固定金具(80c) として用いてもよい。
【図面の簡単な説明】
【図１】本発明の実施の形態１に係る支持手段及び固定手段による室外機の据付状態を示す説明図である。
【図２】空調機の室外機の斜視図である。
【図３】本発明の実施の形態１に係る取付ボルトの側面図である。
【図４】本発明の実施の形態１に係る取付ボルトの下面図である。
【図５】本発明の実施の形態１に係るテーパ座金の上面図である。
【図６】本発明の実施の形態１に係るテーパ座金の A-A 断面図である。
【図７】本発明の実施の形態１に係る据付台の上面図である。
【図８】本発明の実施の形態１に係る据付台の側面図である。
【図９】本発明の実施の形態１に係る固定金具の斜視図である。
【図１０】本発明の実施の形態１に係る支持手段による室外機の据付状態を説明するための、室外機の前面から見た断面図である。
【図１１】本発明の実施の形態１に係る支持手段による室外機の据付状態を説明するための B-B 断面図である。
【図１２】図１０の要部の拡大図である。
【図１３】図１１の要部の拡大図である。
【図１４】本発明の実施の形態１に係る固定金具の室外機への取り付け、及び固定金具へのワイヤーの係合を示す説明図である。
【図１５】本発明の実施の形態１に係る固定金具のピンに作用する力を示す説明図である。
【図１６】本発明の実施の形態２に係る支持手段による室外機の据付状態を説明するための、室外機の前面から見た断面図である。
【図１７】本発明の実施の形態２に係る支持手段による室外機の据付状態を説明するための C-C 断面図である。
【図１８】本発明のその他の実施の形態に係る支持手段による室外機の据付状態を説明するための、室外機の側面から見た説明図である。
【図１９】図１８の要部の拡大図である。
【図２０】本発明のその他の実施の形態に係る固定金具の斜視図である。
【図２１】本発明のその他の実施の形態に係る固定金具の室外機への取り付け、及び固定金具へのワイヤーの係合を示す説明図である。
【図２２】重ね型の折板により形成される折板屋根の構成を示す説明図である。
【図２３】はぜ締め型の折板により形成される折板屋根の構成を示す説明図である。
【符号の説明】
(1)   折板屋根
(1a)  山部
(1b)  谷部
(2)   折板
(3)   タイトフレーム
(5a)  固定ボルト
(7)   はぜ
(10)  室外機
(12)  本体ケーシング（室外機本体）
(16)  天板
(17)  固定ビス（ビス）
(18)  据付脚
(30)  取付ボルト
(31)  頭部
(32)  ネジ部
(35)  押え座金
(36)  取付ナット
(37)  支持ナット
(38)  押えナット
(40)  防振部材
(41)  上防振部
(42)  下防振部
(43)  軸部
(44)  孔部
(50a),(50b) テーパ座金
(51)  取付部
(52)  脚部
(53)  支持部
(53a) 支持面
(54)  ボルト孔
(55)  取付座
(56)  貫通孔
(57)  取付用長孔
(58a) 締結ボルト
(58b) 締結ナット
(60a),(60b) 据付台
(61)  底部
(62)  リブ
(63)  ボルト用長孔
(70)  はぜ用取付金具（はぜ用取付部材）
(71)  固定部
(72)  ボルト部
(80a) 前面固定金具
(80b) 背面固定金具
(80c) アンカー固定金具
(81)  取付片
(82)  フランジ
(83)  ピン
(85)  小径締結孔
(86)  大径締結孔
(87)  廻り止め片
(90)  ワイヤー
(95)  締付金具（締付部材）
【図１】
0003730768.tif 000002
【図２】
0003730768.tif 000003
【図３】
0003730768.tif 000004
【図４】
0003730768.tif 000005
【図５】
0003730768.tif 000006
【図６】
0003730768.tif 000007
【図７】
0003730768.tif 000008
【図８】
0003730768.tif 000009
【図９】
0003730768.tif 000010
【図１０】
0003730768.tif 000011
【図１１】
0003730768.tif 000012
【図１２】
0003730768.tif 000013
【図１３】
0003730768.tif 000014
【図１４】
0003730768.tif 000015
【図１５】
0003730768.tif 000016
【図１６】
0003730768.tif 000017
【図１７】
0003730768.tif 000018
【図１８】
0003730768.tif 000019
【図１９】
0003730768.tif 000020
【図２０】
0003730768.tif 000021
【図２１】
0003730768.tif 000022
【図２２】
0003730768.tif 000023
【図２３】
0003730768.tif 000024